(57)【要約】【課題】  低温暖房機の単独運転時に貯湯タンクに貯えられている蓄熱をより効率的に暖房用の熱媒体に熱交換して利用することで、補助熱源機を稼動せずに低温暖房運転を行う。貯湯タンクの蓄熱利用効率の高い給湯暖房システムを提供する。【解決手段】  本発明は、暖房用一次循環経路３０内の水と暖房用二次循環経路４０内の熱媒体とが暖房用熱交換器３２で熱交換した熱を利用して、高温暖房機４４と低温暖房機５４の運転を行う。貯湯タンク８に十分な蓄熱があるときは、流量調整弁５２を閉じる。シスターン４２からの熱媒体を暖房用熱交換器３２を通過した熱媒体と混合せずに低温暖房機５４に利用可能な温度の熱媒体を供給することができる。補助熱源機３２０を稼動せずに低温暖房５４を運転することができる。【選択図】図１
2008045843.tif 000002
【特許請求の範囲】
【請求項１】
貯湯タンクと、
貯湯タンクの下部の水を貯湯タンクの上部に戻す加熱用循環経路と、
加熱用循環経路を流れる水を加熱する手段と、
貯湯タンクの下部へ給水する給水経路と、
貯湯タンクの上部の水を温水利用箇所へ導く給湯経路と、
貯湯タンクの水を貯湯タンクの上部に戻す暖房用一次循環経路と、
暖房用一次循環経路を流れる水を加熱する補助熱源機と、
熱媒体を貯めておくシスターンと、
高温熱媒体を必要とする高温暖房機と低温熱媒体を必要とする低温暖房機を並列に接続しており、シスターンの熱媒体を、高温暖房機のみを経由してシスターンに戻す状態と、低温暖房機のみを経由してシスターンに戻す状態と、高温暖房機と低温暖房機の両者を経由してシスターンに戻す状態の間で切換え可能な暖房用二次循環経路と、
暖房用一次循環経路と暖房用二次循環経路の間に設けられている熱交換器と、
熱交換器をバイパスして熱交換器の上流と低温暖房機の上流を接続しているバイパス経路と、
少なくとも低温暖房機の単独運転時にはバイパス経路を閉じる弁と、
を備えている給湯暖房システム。
【請求項２】
バイパス経路の流量を調整する弁を備えており、
暖房用二次循環経路が、高温暖房機と低温暖房機のいずれか一方のみを経由する状態ではバイパス経路が閉じられ、
暖房用二次循環経路が、高温暖房機と低温暖房機の両者を経由する状態ではバイパス経路が開けられることを特徴とする請求項１の給湯暖房システム。
【請求項３】
暖房用二次循環経路の高温暖房機と低温暖房機への分岐点とバイパス経路の合流点の間に流量を調整する弁を備えており、
暖房用二次循環経路が、低温暖房機のみを経由する状態または高温暖房機と低温暖房機の両者を経由する状態では弁が開けられ、
暖房用二次循環経路が、高温暖房機のみを経由する状態では弁が閉じられることを特徴とする請求項１の給湯暖房システム。
【請求項４】
暖房用一次循環経路の補助熱源機と熱交換器を通過した水を、貯湯タンクの中間高さに戻す経路が付加されており、貯湯タンクの上部に戻すか中間高さに戻すかが選択可能であることを特徴とする請求項１から３のいずれかの給湯暖房システム。
【請求項５】
暖房用一次循環経路の補助熱源機と熱交換器を通過した水を、貯湯タンクをバイパスして補助熱源機に戻す経路が付加されており、貯湯タンクに戻すか貯湯タンクをバイパスするかが選択可能であることを特徴とする請求項１から４のいずれかの給湯暖房システム。
【請求項６】
発電熱で加熱された熱媒体で加熱用循環経路を流れる水を加熱することを特徴とする請求項１から５のいずれかの給湯暖房システム。
【請求項７】
改質機を加熱する排気ガスで加熱用循環経路を流れる水を加熱することを特徴とする請求項１から６のいずれかの給湯暖房システム。
【発明の詳細な説明】
【技術分野】
【０００１】
本発明は、発電熱や太陽熱等で加熱した水を貯湯タンクに貯湯しておき、貯湯タンクの水を利用して給湯と暖房を行う給湯暖房システムに関する。特に、高温熱媒体を必要とする高温暖房機と低温熱媒体を必要とする低温暖房機を備えている給湯暖房システムに関する。本明細書では、温水と冷水を区別しないで水という。水といっても冷水であるとは限らず、温水であることもある。
【背景技術】
【０００２】
発電熱や太陽熱等で加熱した水を貯湯タンクに貯湯しておき、貯湯しておいた水を利用して給湯するシステムが開発されている。このシステムでは、必要に応じて冷水と混合して適温に調温した水を温水利用箇所に供給する。貯湯タンクに貯湯している水の温度が低い場合には、補助熱源機で加熱することによって適温に調温した水を温水利用箇所に供給する。貯湯タンクに貯湯しておいて給湯するシステムは、バーナ等で水道水を加熱して給湯するシステムと比較すると、エネルギー効率が高い。
【０００３】
貯湯タンクの水を利用して給湯するだけでなく、貯湯タンクの水を利用して暖房するシステムも開発されている。温水を利用する暖房機の中には、例えば浴室用暖房機のように高温の熱媒体を必要とする高温暖房機もあれば、例えば床暖房機のように低温の熱媒体を必要とする低温暖房機もある。
【０００４】
貯湯タンクの水を、給湯と高温暖房と低温暖房の全部に利用するするシステムも開発されている。このシステムでは、温水利用箇所で必要とする温度の水と、高温暖房機が必要とする温度の熱媒体と、低温暖房機が必要とする温度の熱媒体を供給する必要がある。
【０００５】
給湯暖房システムの一例が特許文献１に開示されている。この技術では、高温暖房機とシスターンの間を循環する水を熱源機で加熱することによって、高温暖房機に高温の温水を送り込む。その循環経路と給湯経路の間に熱交換器を設けることによって、給湯経路に送り出す水を加熱する。高温暖房機と並列に低温暖房機が接続されており、熱源機をバイパスして熱源機の上流と低温暖房機の上流を接続しているバイパス経路を備えている。バイパス経路が設けられているために、熱源機で加熱された水と暖房機を通過する間に冷却された水が混合されて低温暖房機に送り込まれる。低温暖房機に低温の温水を送り込むことができる。
特許文献１のシステムによると、一つの熱源機で、温水利用箇所で必要とする温度の水と、高温暖房機が必要とする温度の水と、低温暖房機が必要とする温度の水を送り出すことができる。
【０００６】
【特許文献１】特開２００３−１３０４４８号公報
【発明の開示】
【発明が解決しようとする課題】
【０００７】
特許文献１のシステムでは、低温暖房機だけを運転する場合でも、熱源機で加熱した高温の水と、低温暖房機を通過する間に冷却された低温の水を混合して低温暖房機に送り込む。すなわち、低温暖房機だけを運転する場合でも、高温の水を必要とする。
通常の低温暖房機は６０℃程度の温度の熱媒体を必要とする。通常の高温暖房機は８０℃程度の温度の熱媒体を必要とする。特許文献１のシステムでは、６０℃程度の温度の熱媒体を低温暖房機に送り込むために、熱媒体を８０℃程度にまで加熱し、低温暖房機を通過する間に４０℃程度に冷却された水と混合し、６０℃程度に調音された熱媒体を低温暖房機に送り込む。
【０００８】
発電熱や太陽熱等で加熱した水を貯湯タンクに貯湯しておくシステムでは、通常、６０〜８０℃程度に加熱された温水を貯湯タンクに貯湯しておく。すなわち、低温暖房機が必要とする温度には足りるが、高温暖房機が必要とする温度には足りない温度の水を貯湯していることが多い。
この場合、高温暖房機を運転する場合には、貯湯しておいた水の温度だけでは足りないことから、熱源機で加熱する必要があるが、低温暖房機のみを運転する場合には、貯湯しておいた水の温度だけで足り、熱源機で加熱する必要はないはずである。しかるに、従来の技術では、熱源機で加熱した高温の水と低温暖房機で冷却された低温の水を混合して低温暖房機に送りこむために、熱源機で加熱しなければ低温暖房機に送り込む水の温度が必要な温度にまで上昇しない。従来の技術によると、低温暖房機が必要とする温度以上の水が貯湯されており、熱源機で加熱する必要がない場合でも、熱源機で加熱することが必要とされる。
【０００９】
本発明では、低温暖房機が必要とする温度以上の水が貯湯されていれば、熱源機で加熱しなくても低温暖房機を運転できるシステムを実現する。
【課題を解決するための手段】
【００１０】
本発明の給湯暖房システムは、貯湯タンクと、貯湯タンクの下部の水を貯湯タンクの上部に戻す加熱用循環経路と、加熱用循環経路を流れる水を加熱する手段と、貯湯タンクの下部へ給水する給水経路と、貯湯タンクの上部の水を温水利用箇所へ導く給湯経路と、貯湯タンクの水を貯湯タンクの上部に戻す暖房用一次循環経路と、暖房用一次循環経路を流れる水を加熱する補助熱源機と、熱媒体を貯めておくシスターンと、高温熱媒体を必要とする高温暖房機と低温熱媒体を必要とする低温暖房機を並列に接続しており、シスターンの熱媒体を、高温暖房機のみを経由してシスターンに戻す状態と、低温暖房機のみを経由してシスターンに戻す状態と、高温暖房機と低温暖房機の両者を経由してシスターンに戻す状態の間で切換え可能な暖房用二次循環経路と、暖房用一次循環経路と暖房用二次循環経路の間に設けられている熱交換器と、高温暖房機をバイパスして熱交換器の上流と低温暖房機の上流を接続しているバイパス経路と、少なくとも低温暖房機の単独運転時にはバイパス経路を閉じる弁を備えている。高温暖房機の単独運転時にもバイパス経路を閉じてもよい。
【００１１】
貯湯タンクの下部の水は加熱用循環経路に送り出され、燃料電池の発電熱や太陽熱等によって加熱され、貯湯タンクの上部へ戻される。貯湯タンクの上部に戻された水は、貯湯タンクの下部に貯湯されている低温の水と混合されないで、貯湯タンクの上部に高温の状態で貯えられる。貯湯タンクの内部には温度成層が形成される。
給湯経路へは、貯湯タンクの上部に貯えられた高温の温水が送り出される。このために貯湯タンクの蓄熱量が小さくなるまで、高温の温水を給湯経路へ送り出すことができる。貯湯タンクの上部に貯えられている水の温度が低下した状態で給湯運転が必要とされる場合には、貯湯タンクの水を貯湯タンクの上部に戻す暖房用一次循環経路を使って水を循環させ、暖房用一次循環経路を流れる水を補助熱源機で加熱する。補助熱源機で加熱された高温の水は貯湯タンクの上部に戻され、給湯経路へ送り出される。貯湯タンクの上部に貯えられている水の温度は、循環することによって均質化され、給湯経路へ送り出される水の温度は安定する。貯湯タンクの上部がバッファタンクとして機能し、給湯経路へ送り出される水の温度変動を抑制する。貯湯タンクの蓄熱量が少ない場合であっても、少ない蓄熱量を有効に活用して給湯に利用することができる。
【００１２】
暖房用二次循環経路はシスターンを備えており、高温熱媒体を必要とする高温暖房機と低温熱媒体を必要とする低温暖房機が並列に接続されている。暖房用二次循環経路内の熱媒体は、暖房用一次循環経路と暖房用二次循環経路の間に設けられている熱交換器によって、暖房用一次循環経路内の水によって加熱される。
暖房用二次循環経路は、高温暖房機の単独運転時には熱媒体が高温暖房機のみを通過し、低温暖房機の単独運転時には熱媒体が低温暖房機のみを通過し、高温暖房機と低温暖房機の同時運転時には熱媒体が高温暖房機と低温暖房機の両者を経由する状態に切換えられる。暖房用二次循環経路内を循環する熱媒体は、水であってもよいし、水以外の熱媒体、例えば不凍液であってもよい。
【００１３】
高温暖房機を運転する場合は、暖房用一次循環経路の水を循環させ、暖房用一次循環経路を流れる水を補助熱源機で加熱する。すると、熱交換器によって暖房用二次循環経路を流れる熱媒体が加熱され、高温暖房機が必要とする高温の熱媒体が得られる。
暖房用二次循環経路は、熱交換器をバイパスして熱交換器の上流と低温暖房機の上流を接続しているバイパス経路を備えている。バイパス経路が開くと、暖房機を通過することによって冷却された熱媒体が流れ、低温暖房機の上流に送り込まれる。熱交換器で加熱された高温の熱媒体と暖房機で冷却された低温の熱媒体を混合して低温暖房機が必要とする温度に調温された熱媒体が低温暖房機に送り込まれる。バイパス経路が用意されているために、高温熱媒体を必要する高温暖房機と低温熱媒体を必要する低温暖房機を同時に運転することができる。
高温暖房機を運転する場合は、高温暖房機のみを運転する場合も、同時に低温暖房機を運転する場合も、暖房用一次循環経路を流れる水を補助熱源機で加熱する必要がある。
【００１４】
本システムでは、低温暖房機のみを運転する場合には、補助熱源機で加熱する必要をなくすことができる。従来のシステムでは、低温暖房機のみを運転する場合でも、熱源機で加熱した高温の水と低温暖房機で冷却された低温の水を混合して低温暖房機が必要とする温度の水に調温する。このため、高温に加熱された水を必要とする。低温暖房機で冷却された低温の水を低温暖房機に還流するバイパス経路を閉じると、低温暖房機に流れ込む水が高温となりすぎるので、バイパス経路を閉じることができない。
本システムでは、低温暖房機のみを運転する場合には、バイパス経路を閉じてしまう。バイパス経路を閉じてしまうと、熱交換器で加熱された熱媒体のみが低温暖房機に流れ込むために、熱交換器では低温暖房機が必要とする温度にまで熱媒体を加熱すればよく、それ以上の温度に加熱する必要がない。
貯湯タンクに低温暖房機が必要とする温度の水が貯湯されていれば、その温度が高温暖房機が必要とする温度に満たなくても、補助熱源機で加熱する必要がない。前記したように、貯湯タンクに貯湯されている水の温度は、低温暖房機が必要とする温度よりは高く、高温暖房機が必要とする温度よりは低いことが多い。そのために、本システムによると、貯湯タンクの熱を利用して補助熱源機を利用しないで低温暖房機を運転できる機会が大幅に増え、発電熱や太陽熱を効果的に利用することが可能となる。
貯湯タンクに低温暖房機が必要とする温度の水が貯湯されていなければ、補助熱源機で暖房用一次循環経路を流れる水を加熱する。その熱で暖房用二次循環経路を流れる熱媒体を加熱するので、熱媒体を適温に加熱することができる。バイパス経路を閉じてしまっても、低温暖房機のみを運転することができる。
【００１５】
本発明の給湯暖房システムによると、貯湯タンクの蓄熱を利用することによって補助熱源機を運転せずに低温暖房機を運転することができ、発電熱や太陽熱を効果的に利用することが可能となる。
【００１６】
本発明の給湯暖房システムでは、バイパス経路の流量を調整する弁を備えていることが好ましい。暖房用二次循環経路が高温暖房機と低温暖房機のいずれか一方のみを経由する状態では、その流量調整弁によってバイパス経路が閉じられ、暖房用二次循環経路が高温暖房機と低温暖房機の両者を経由する状態では、その流量調整弁によってバイパス経路が開けられることが好ましい。
【００１７】
高温暖房のみを実施する場合にも、バイパス経路を閉じることが好ましい。高温暖房機と低温暖房機の両者を運転するときだけ、バイパス経路が開けられることが好ましい。
また、シスターンには、高温暖房機を通過する間に冷却された熱媒体と、低温暖房機を通過する間に冷却された熱媒体が戻ってくる。シスターンに溜められている熱媒体の温度は、暖房運転の開始と停止に追従して変化する。バイパス経路に流量調整弁を用いることによって、低温暖房機に供給する熱媒体の混合比（熱交換器を通過した高温熱媒体と熱交換器をバイパスした低温熱媒体の混合比）を調整することができ、低温暖房機に供給される低温熱媒体の温度を安定させることができる。
【００１８】
暖房用二次循環経路の高温暖房機と低温暖房機への分岐点とバイパス経路の合流点の間に流量を調整する弁を備えており、暖房用二次循環経路が低温暖房機のみを経由する状態または高温暖房機と低温暖房機の両者を経由する状態では弁が開けられ、暖房用二次循環経路が高温暖房機のみを経由する状態では弁が閉じられるようにしてもよい。
【００１９】
上記の流量調整弁が用意されていると、低温暖房機に供給する熱媒体の混合比（熱交換器を通過した高温熱媒体と熱交換器をバイパスした低温熱媒体の混合比）を調整することができ、低温暖房機に供給される低温熱媒体の温度を安定させることができる。
【００２０】
本発明の給湯暖房システムでは、暖房用一次循環経路の補助熱源機と熱交換器を通過した水を、貯湯タンクの中間高さに戻す経路が付加されており、貯湯タンクの上部に戻すか中間高さに戻すかが選択可能であることが好ましい。
【００２１】
貯湯タンクの内部には温度成層が形成されている。上記構成を備えていると、補助熱源機で加熱し（場合によっては補助熱源機を通過するだけで加熱しないこともある）、熱交換器で冷却された水の温度が、貯湯タンクの上部にある水とほぼ同じかそれよりも高温であれば貯湯タンクの上部に戻し、そうでなければ貯湯タンクの中間高さに戻すことができる。貯湯タンクの上部に形成されている温度成層を乱さないで暖房運転を行うことができる。給湯に必要な高温の水を、貯湯タンクの上部に貯湯しておくことができる。
【００２２】
本発明の給湯暖房システムでは、暖房用一次循環経路の補助熱源機と熱交換器を通過した水を貯湯タンクをバイパスして補助熱源機に戻す経路が付加されており、貯湯タンクに戻すか貯湯タンクをバイパスするかが選択可能であることが好ましい。
【００２３】
貯湯タンクを経由して暖房用一次循環経路に水を循環させる場合、貯湯タンク内から送り出される水の温度が低く、補助熱源機で高温暖房機が必要とする温度にまで加熱できない可能性がある。そのような場合でも、貯湯タンクをバイパスして熱交換器から戻された水を直接的に補助熱源機に還流することによって、高温暖房機が必要とする温度にまで加熱することが可能となる。
【００２４】
本発明の給湯暖房システムは、発電熱で加熱された熱媒体で加熱用循環経路を流れる水を加熱する場合に特に有効である。あるいは、改質機を加熱する排気ガスで加熱用循環経路を流れる水を加熱する場合にも有効である。
【００２５】
例えば燃料電池を用いる発電ユニットでは、燃料電池内を冷却水が循環しており、発電熱で冷却水が加熱される。貯湯タンクに貯えられている水を加熱用循環経路に循環させ、発電熱で加熱された水と熱交換すれば、発電熱で間接的に加熱された水が貯湯タンクに貯えられる。このシステムによると、発電に伴って発生する熱を給湯と暖房に利用でき、総合的なエネルギー効率が向上する。また、燃料電池を用いる発電ユニットは改質機を備えていることがあり、改質機で改質するには改質機を加熱する必要がある。発電に必要な排気ガスで加熱用循環経路を流れる水を加熱すれば、発電に伴って発生する熱を給湯と暖房に利用でき、総合的なエネルギー効率が向上する。
【発明の効果】
【００２６】
本発明によると、発電熱や太陽熱等で加熱した水を貯湯タンクに貯湯しておいて給湯と暖房を行うことができる。低温暖房機の単独運転時には、貯湯タンクに貯湯されている水を加熱しないでも低温暖房機が必要とする温度にまで加熱された熱媒体を低温暖房機に供給することができる。低温暖房時に消費するガス量を削減でき、システムのエネルギー効率を向上させることができる。
【発明を実施するための最良の形態】
【００２７】
以下に、本発明の好適な実施形態を説明する。
（形態１）  バイパス経路は、シスターンと熱交換器の間と、高温暖房機側と低温暖房機側への分岐点と低温暖房機の間を接続している。
（形態２）  バイパス経路は、高温暖房機からと低温暖房機からの合流点とシスターンの間と、高温暖房機側と低温暖房機側への分岐点と低温暖房機の間を接続している。
（形態３）  バイパス経路の合流点に、熱交換器を経由した熱媒体の流量と、熱交換器をバイパスした熱媒体の流量の比を調整する混合比調整弁が設けられている。
（形態４）  暖房用一次循環経路の補助熱源機と熱交換器を通過した水を、貯湯タンクの上部に戻す経路には開閉弁が介装されている。
（形態５）  暖房用一次循環経路の補助熱源機と熱交換器を通過した水を、貯湯タンクの中間高さに戻す経路には開閉弁が介装されている。
（形態６）  暖房用一次循環経路の補助熱源機と熱交換器を通過した水を、貯湯タンクをバイパスして補助熱源機に戻す経路には、開閉弁が介装されている。
（形態７）  暖房用一次循環経路は、熱交換器を通過した水が、貯湯タンクの上部に戻される状態と、貯湯タンクの中間高さに戻される状態と、貯湯タンクをバイパスして補助熱源機に戻される状態との間で切換えることができる。
【実施例】
【００２８】
本発明の実施例について図面を参照しながら説明する。それぞれの実施例のブロック図において、共通部位に関しては同一の番号を付し、重複説明は省略する。
（第１実施例）
図１の貯湯タンク８には、加熱用循環経路１０が接続されている。加熱用循環経路１０には循環ポンプ１１０が配置されており、循環ポンプ１１０を運転すると、貯湯タンク８の下部に貯えられている水が加熱用循環経路１０を通過して貯湯タンク８の上部に戻される。
加熱用循環経路１０は、改質機１６を加熱した排気ガスが通過する熱交換器１２と、発電熱で加熱された水が通過する熱交換器１４を通過しており、発電運転中は、貯湯タンク８の下部に貯えられている水が排気ガスと発電熱で加熱されて貯湯タンク８の上部に戻される。貯湯タンク８には、発電に伴って発生する熱で加熱された温水が、温度成層をなした状態で貯湯される。
加熱用循環経路１０には、貯湯タンク８の下部から送り出された水の温度を検出するサーミスタ１０２と、発電に伴って発生した熱で加熱された水の温度を検出するサーミスタ１０４が配置されている。
【００２９】
発電ユニット１５は、改質機１６と、改質機１６を加熱するバーナ１６４と、燃料電池１８を備えている。
改質器１６は、メタノール等の燃料ガスを改質して水素ガスを製造する。製造した水素ガスは水素ガス供給経路１８４を経て燃料電池１８へと供給される。改質器１６で、燃料ガスを改質して水素ガスを製造するためには、改質器１６を高温に維持する必要がある。バーナ１６４の燃焼熱によって改質器１６が高温に維持される。バーナ１６４の排気ガスは改質器１６を加熱したあとも高温であり、熱交換器１２を通過する際に加熱用循環経路１０を流れる水を加熱する。排気ガスの熱は回収され、貯湯タンク８に蓄熱される。
燃料電池１８は、改質機１６から供給される水素ガスと空気中の酸素とを反応させて発電する。燃料電池１８が発電する際に、発電熱が発生する。燃料電池１８を冷却するために、冷却水通路１８２が燃料電池１８を通過している。冷却水通路１８２を流れる水が燃料電池１８を冷却して燃料電池１８を発電に適した温度に維持する。燃料電池１８を冷却することによって加熱された温水は、熱交換器１４を通過して加熱用循環経路１０を流れる水を加熱する。加熱用循環経路１０を流れる水を加熱することによって冷却された水は再び燃料電池１８を通過する。発電熱は回収され、貯湯タンク８に蓄熱される。
後記するコントローラ１００は、発電運転中は、バーナ１６４を燃焼させ、改質器１６に燃料ガスを供給し、循環ポンプ１１０を運転する。
【００３０】
貯湯タンク８の底部には、貯湯タンク８に水道水を給水する給水経路６０が接続されている。給水経路６０には、給水温度を測定する給水サーミスタ６０２、水道水の圧力を減圧する減圧弁６８、給水量を測定する流量センサ６６、給水量サーボ６４、混合サーボ６２が介装されている。混合サーボ６２は、給水経路６０と混合経路２８の分岐点に配置されている。
貯湯タンク８内の水圧が減少すると、減圧弁６８によって減圧された水道水が給水経路６０から貯湯タンク８へ給水される。給水サーミスタ６０２で検出される給水温度と、流量センサ６６で検出される給水量は、コントローラ１００に入力される。
給水経路６０の混合サーボ６２の下流側に排水経路７０が接続されている。排水経路７０には排水弁７２が介装されている。排水弁７２の開閉は手動で行う。排水弁７２が開かれると、貯湯タンク８内の水が排水経路７０を経て外部へ排水される。
【００３１】
図１の貯湯タンク８の天井部（上部）には、貯湯タンク８内の上部に貯えられている水を給湯栓２４に給湯する給湯経路２０が接続されている。給湯栓２４は、浴室、洗面所、台所等の温水利用箇所の各々に配設されている。給湯経路２０には、温水電磁弁２２、高温サーミスタ２０２、給湯サーミスタ２０４、給湯量センサ２６が介装されている。また給湯経路２０には、先述の混合経路２８が接続されている。混合経路２８は、温水電磁弁２２の下流側であり、かつ高温サーミスタ２０２と給湯サーミスタ２０４の間に接続されている。
高温サーミスタ２０２は、貯湯タンク８から送り出された温水であって、給湯経路２０からの水道水と混合される前の温水の温度を検出する。給湯サーミスタ２０４は、混合した後の水の温度を検出する。給湯経路２０からの温水量と混合経路２８からの冷水量との混合比は、混合サーボ６２の開度によって調整される。混合サーボ６２の開度を調整することによって、予め設定されている給湯温度に調温することができる。
高温サーミスタ２０２で検出された温度と、給湯サーミスタ２０４で検出された温度とは、コントローラ１００に入力される。給湯量センサ２６で測定された給湯量は、コントローラ１００に入力される。コントローラ１００は、給水サーミスタ６０２の検出温度と、高温サーミスタ２０２の検出温度と、予め設定されている給湯温度に基づいて、混合サーボ６２の開度を調整する。この構成により、貯湯タンク８の上部に貯えられている水の温度が給湯設定温度よりも高温であっても、給湯設定温度に調温された水を給湯することができる。
貯湯タンク８の上部には第１タンクサーミスタ８０２が設置されており、貯湯タンク８の中間高さには第２タンクサーミスタ８０４が設置されており、貯湯タンク８の下部には第３タンクサーミスタ８０６が設置されている。これらのサーミスタ８０２、８０４、８０６で測定された温度は、コントローラ１００に入力される。
【００３２】
貯湯タンク８の中間高さ（ほぼ第２タンクサーミスタ８０４と等しい高さ）と、貯湯タンク８の上部の間に、暖房用一次循環経路３０が設けられている。暖房用一次循環経路３０には、循環ポンプ３１０が配置されており、貯湯タンク８の中間高さから送り出された水を貯湯タンク８の上部に戻す。
暖房用一次循環経路３０には、バーナ入口サーミスタ３０２と、循環ポンプ３１０と、暖房用一次循環量センサ３１２と、暖房用一次循環量サーボ３１４が介装されている。バーナ入口サーミスタ３０２は、貯湯タンク８の中間高さから送り出された水の温度を検出する。循環ポンプ３１０は、暖房用一次循環経路３０内の水を循環させる。暖房用一次循環量センサ３１２は、暖房用一次循環経路３０を流れる水の流量を検出する。バーナ入口サーミスタ３０２で検出された温度と、暖房用一次循環量センサ３１４で検出された流量は、コントローラ１００に入力される。コントローラ１００は、入力した温度と流量等に基づいて、暖房用一次循環量サーボ３１４の開度を制御し、暖房用一次循環経路３０を流れる水の流量を調整する。
【００３３】
暖房用一次循環経路３０は、補助熱源機３２０を通過している。補助熱源機３２０の内部には、潜熱熱交換器３２５と、顕熱熱交換器３２６と、バーナ３８と、バーナ出口サーミスタ３０４が配置されている。
バーナ３８は、顕熱熱交換器３２６で暖房用一次循環経路３０を流れる水を加熱する。顕熱熱交換器３２６を通過した排気ガスはなおも高温の水蒸気を含んでおり、顕熱熱交換器３２６で加熱する前の水が流れる潜熱熱交換器３２５を通過する際に結露して潜熱を放出し、潜熱熱交換器３２５を通過する水を加熱する。補助熱源機３２０は、潜熱熱交換器３２５と顕熱熱交換器３２６によって、暖房用一次循環経路３０を流れる水を効率的に加熱する。潜熱熱交換器３２４には結露したドレンを回収して排出するためのドレン３２４が配置されており、図示省略のドレン経路には図示省略の中和器が介装されている。バーナ出口サーミスタ３０４は、補助熱源機３２０で加熱された後の水の温度を検出する。検出された温度は、コントローラ１００に入力される。
【００３４】
暖房用一次循環経路３０の補助熱源機３２０の下流には、暖房用熱交換器３２と、熱交換器出口サーミスタ３０６と、開閉弁３２２が配置されている。暖房用熱交換器３２には後記する暖房用二次循環経路４０が通過しており、暖房用一次循環経路３０を流れる水の温度で、暖房用二次循環経路４０を流れる熱媒体を加熱する。熱交換器出口サーミスタ３０６は、暖房用二次循環経路４０を流れる熱媒体を加熱することで冷却された水の温度を検出する。検出された温度は、コントローラ１００に入力される。開閉弁３２２の開閉は、コントローラ１００によって制御される。
【００３５】
暖房用一次循環経路３０からは、暖房用一次循環分岐経路３４が分岐している。暖房用一次循環分岐経路３４は、暖房用熱交換器３２の下流側で暖房用一次循環経路３０から分岐し、貯湯タンク８の中間高さ（第２タンクサーミスタ８０４と第３タンクサーミスタ８０６の中間の高さ）へと接続されている。暖房用一次循環分岐経路３４には、開閉弁３４２が介装されている。開閉弁３４２の開閉は、コントローラ１００によって制御される。
【００３６】
暖房用一次循環経路３０からは、暖房用一次循環バイパス経路３４も分岐している。暖房用一次循環バイパス経路３４は、暖房用熱交換器３２の下流側で暖房用一次循環経路３０から分岐し、貯湯タンク８をバイパスし、暖房用一次循環経路３０に戻っている。暖房用一次循環バイパス経路３６には、開閉弁３６２が介装されている。開閉弁３６２の開閉は、コントローラ１００によって制御される。
【００３７】
循環ポンプ３１０が駆動し、暖房用一次循環経路３０を水が循環し始めると、熱交換器出口サーミスタ３０６と、貯湯タンク８内の各タンクサーミスタ８０２，８０４，８０６で検出される温度と、給湯暖房システム１の運転状態により、開閉弁３２２、３４２、３６２のうち、コントローラ１００によって少なくともいずれか開閉弁３２２，３４２，３６２のうちの１つの弁が選択されて開かれる。
【００３８】
開閉弁３２２が開かれると、暖房用一次循環経路３０を循環する水を貯湯タンク８の上部に戻す循環経路が形成され、高温の水を貯湯タンク８に戻して貯湯するために利用することができる。例えば、貯湯タンク８の上部に貯えられている状態で給湯が要求される場合には、開閉弁３２２が開かれる。開閉弁３２２が開かれると、暖房用一次循環経路３０を循環する間に補助熱源機３２０で加熱された水が貯湯タンク８の上部に戻されるために、その温水を給湯経路２０に送り出すことができる。
開閉弁３４２が開かれると、暖房用一次循環経路３０を循環した水を貯湯タンク８の中間高さに戻す循環経路が形成される。例えば、暖房用熱交換器３２を通過した水の温度が低い場合、貯湯タンク８の上部に戻すと貯湯タンク８の上部に存在する温度成層状態が乱され、給湯経路２０に高温の水を送り出すことができなくなる。開閉弁３４２が開かれると、温度の低い水を貯湯タンク８の中間高さに戻すことができ、貯湯タンク８の上部に貯えられた水を給湯に利用することができる。この状態では、貯湯タンク８の中間高さの水を暖房用一次循環経路３０に送り出すために、貯湯タンク８に貯えられている熱エネルギーを暖房に利用することができる。
開閉弁３６２が開かれると、貯湯タンク８をバイパスする循環経路が形成され、暖房用熱交換器３２を通過した水を補助熱源機３２０に戻す循環経路を形成することができる。例えば、貯湯タンク８の中間高さから送り出される水を加熱するよりも、貯湯タンク８をバイパスさせたほうが燃焼効率がよい場合には、開閉弁３６２が開かれる。
【００３９】
図１の給湯暖房システム１は、暖房用二次循環経路４０を備えている。暖房用二次循環経路４０は、シスターン４２と、暖房用熱交換器３２と、高温暖房機４４と、低温暖房機５４を循環している。高温暖房機４４と低温暖房機５４は並列に接続されている。すなわち、暖房用二次循環経路４０を流れる熱媒体が、高温暖房機４４のみを流れる状態、低温暖房機５４のみを流れる状態、および高温暖房機４４と低温暖房機５４の両方を流れる状態を実現することができる。暖房用二次循環経路４０には、循環ポンプ４８と、熱交換器出口サーミスタ４０２と、低温暖房入口サーミスタ４０４が介装されている。
図１の給湯暖房システム１は、循環ポンプ４８の下流と、低温暖房機５４の上流の間を接続している暖房用二次循環バイパス経路５０を備えている。暖房用二次循環バイパス経路５０には、流量調整弁５２が介装されている。暖房用二次循環バイパス経路５０は、暖房用熱交換器３２をバイパスしてシスターン４２の熱媒体を低温暖房機５４に導く。流量調整弁５２は、暖房用二次循環バイパス経路５０を流れる熱媒体の流量を調整する。流量調整弁５２の開度は、コントローラ１００によって、低温暖房入口サーミスタ４０４の検出する温度に基づいて調整される。暖房用二次循環バイパス経路５０を流れる熱媒体は、暖房用熱交換器３２をバイパスしており、温度の低い熱媒体である。流量調整弁５２の開度を調整することで、暖房用熱交換器３２を通過して加熱された熱媒体と、暖房用熱交換器３２をバイパスした温度の低い熱媒体の混合比を調整することができる。低温暖房機５４に供給される水の温度を調整することができる。高温暖房機４４には、暖房用熱交換器３２を通過して加熱された熱媒体のみを流し、低温暖房機５４には、暖房用熱交換器３２をバイパスした温度の低い熱媒体が混合して冷却された熱媒体を流すことができる。
【００４０】
暖房運転する際には循環ポンプ４８を駆動し、暖房用二次循環経路４０に熱媒体を循環させる。本実施例では、熱媒体に水を用いるが、不凍液等を用いてもよい。暖房用二次循環経路４０を循環する熱媒体は、暖房用一次循環経路３０と暖房用二次循環経路４０の間に設けられている暖房用熱交換器３２を通過することによって、暖房用一次循環経路３０を流れる水によって加熱される。熱交換器出口サーミスタ４０２は、暖房用熱交換器３２の下流側に配置されて、暖房用熱交換器３２を通過した後の熱媒体の温度を検出する。検出された温度は、コントローラ１００に入力される。加熱された熱媒体は、高温暖房機４４および／または低温暖房機５４へ供給される。高温暖房機４４および／または低温暖房機５４を通過した熱媒体は、シスターン４２へ戻され、シスターン４２に貯えられる。
【００４１】
高温暖房機４４には、熱動弁４６が設けられている。熱動弁４６は、高温暖房機４４のスイッチの操作に伴って開閉する。高温暖房機４４は、例えばエアコンや浴室暖房機等の高温の熱媒体を用いて運転される熱負荷であり、例えば８０℃程度の高温の熱媒体により運転される。
低温暖房機５４には、熱動弁５６が設けられている。熱動弁５６は、低温暖房機５４のスイッチの操作に伴って開閉する。低温暖房機５４は、例えば床暖房等の低温の熱媒体を用いて運転される熱負荷であり、例えば６０℃程度の低温の熱媒体により運転される。
【００４２】
低温暖房機５４の上流側には、低温暖房入口サーミスタ４０４が介装されている。低温暖房入口サーミスタ４０４は、暖房用二次循環往路４０から低温暖房機５４へ供給される熱媒体の温度を検出する。検出された温度は、コントローラ１００に入力される。
高温暖房機４４と低温暖房機５４には、リモコン（図示省略）が設けられている。リモコンから出力されるオン信号とオフ信号とは、コントローラ１００に入力される。コントローラ１００は、高温暖房機４４のオン信号だけが入力されると、高温暖房機の単独運転制御を実行する。低温暖房機５４のオン信号だけが入力されると、低温暖房機の単独運転制御を実行する。高温暖房機４４のオン信号と低温暖房機５４のオン信号とが入力されると、高温暖房機と低温暖房機の同時運転制御を実行する。
【００４３】
給湯暖房システム１は、給湯経路２０から分岐して貯湯タンク８内の水をシスターン４２へ注水するシスターン給水経路８０が備えられている。シスターン給水経路８０には、シスターン給水弁８２が介装されている。シスターン給水弁８２は、コントローラ１００によって制御される。
【００４４】
コントローラ１００は、制御プログラムを記憶している。コントローラ１００は、図示しない給湯用リモコン、高温暖房機４４のリモコン、低温暖房機５４のリモコンからの操作信号を入力し、前記した各種のセンサからの信号を入力し、記憶している制御プログラムに従って、前記した各種のポンプ、弁、バーナ等を制御する。
【００４５】
以下では、給湯暖房システム１の各種の運転を説明する。
（蓄熱運転）
燃料電池１８が発電運転を実行している間は、加熱用循環経路１０の循環ポンプ１１０が駆動され、発電熱で加熱された冷却水が冷却水通路１８２を経由して熱交換器１４を通過し、改質機１６を加熱した排気ガスが排出経路１６２を経由して熱交換器１２を通過する。
貯湯タンク８の下部から送り出された水は、熱交換器１２と熱交換器１４を通過することによって加熱され、加熱された水が貯湯タンク８の上部に戻される。これによって、改質機１６の加熱に伴って発生する排気ガス熱と、燃料電池１８の発電に伴って発生する発電熱が貯湯タンク８に蓄熱される。貯湯タンク８内の水は、上部から昇温していく。
【００４６】
貯湯タンク８にフルに蓄熱され、第３タンクサーミスタ８０６の検出する温度までもが温水の温度となると、冷却水通路１８２を流れる冷却水を冷却することができず、燃料電池１８を冷却することができなくなる。この場合、コントローラ１００がシスターン給水弁８２が開き、貯湯タンク８内の高温の温水をシスターン４２へ貯え、貯湯タンク８の下部に低温の水道水を注水する。これによって、燃料電池１８を冷却することが可能となり、発電運転を持続することができる。
【００４７】
（給湯運転）
図２に、給湯暖房システム１の給湯運転のフローチャートを示す。ステップＳ２では、給湯量センサ２６の検出流量が２．７リットル／ｍｉｎ以上であるか否かが判別される。給湯量センサ２６の検出流量が２．７リットル／ｍｉｎ以上の場合（判断がＹＥＳの場合）は、給湯栓２４が開かれて給湯要求があったとみなされ、ステップＳ４に進む。給湯量センサ２６の検出流量が２．７リットル／ｍｉｎより少ない場合（判断がＮＯの場合）は、給湯要求がないとみなされ、出湯要求があるまで待機する。
ステップＳ４では、給湯電磁弁２２が開かれる。給湯電磁弁２２が開かれると、貯湯タンク８内の上部に溜められていた水が給湯経路２０に送り出される。
ステップＳ６では、給湯設定温度αを検出する。給湯設定温度αは、使用者がリモコン等で設定する給湯温度である。検出された温度αは、コントローラ１００に入力される。
ステップＳ８では、第１タンクサーミスタ８０２から貯湯タンク８の上部の水の温度Ｘを検出する。検出された温度Ｘは、コントローラ１００に入力される。
ステップＳ１０では、第１タンクサーミスタ８０２の検出温度Ｘが給湯設定温度α以上であるか否かが判別される。Ｘ≧αの場合（判断がＹＥＳの場合）は、貯湯タンク８内の温水を加熱しないでも給湯に利用することが可能とみなされ、ステップＳ１２に進む。
Ｘ＜αの場合（判断がＮＯの場合）は、貯湯タンク８内の温水を加熱しなければ要求温度では給湯できないとみなされ、ステップＳ１４に進む。
【００４８】
図２のステップＳ１２では、非燃焼給湯運転が行われる。非燃焼給湯運転では、補助熱源機３２０を燃焼させず、循環ポンプ３１０も駆動しない。給湯サーミスタ２０４の検出温度が給湯設定温度αになるように、コントローラ１００によって混合サーボ６２の開度が調整されて給湯される。
【００４９】
ステップＳ１４では、燃焼給湯運転が行われる。燃焼給湯運転では、補助熱源機３２０が点火され、循環ポンプ３１０が駆動される。貯湯タンク８の中間高さにある水が暖房用一次循環経路３０に送り出され、補助熱源機３２０を通過して加熱される。燃焼給湯運転時は、開閉弁３２２が開かれ、補助熱源機３２０で加熱された水は、貯湯タンク８の上部に戻される。貯湯タンク８の上部へ戻された水は給湯経路２０に送り出される。
ステップＳ１６では、バーナ出口サーミスタ３０４の検出温度がα＋５℃になるようにバーナ３８の燃焼量が制御される。バーナ３８の燃焼量は、コントローラ１００によって制御される。補助熱源機３２０を通過した温水はα＋５℃に加熱され、暖房用一次循環経路３０を経て貯湯タンク８の上部に戻される。補助熱源機３２０によってα＋５℃に加熱された温水が、貯湯タンク８の上部に貯められる。これによって、貯湯タンク８の上部はバッファタンクとなる。バッファタンクとなった貯湯タンク８の上部からαよりも若干高温の温水が給湯経路２０に送り出され、混合サーボ６２によって給湯設定温度に調温されて給湯される。給水サーミスタ６０２の検出温度と給湯サーミスタ２０４の検出温度から、給湯サーミスタ２０４の検出温度が給湯設定温度αとなるように混合サーボ６２の開度が調整される。
【００５０】
ステップＳ１８では、給湯量センサ２６の検出流量が２．０リットル／ｍｉｎ以下であるか否かが判別される。給湯量センサ２６の検出流量が２．０リットル／ｍｉｎ以下の場合（判断がＹＥＳの場合）は、給湯利用が終了したとみなされてステップＳ１９へ進む。給湯量センサ２６の検出流量が２．０リットル／ｍｉｎを超えている場合（判断がＮＯの場合）は、まだ給湯栓２４は開かれており、給湯中であるとみなされ、処理はステップＳ６へ戻る。ステップＳ６以降では、貯湯タンク８の上部の温水温度がα℃以上であれば非燃焼給湯運転を行い、貯湯タンク８の上部の温水温度がα℃未満であれば燃焼給湯運転を行うよう判断が行われ、給湯運転が持続される。
ステップＳ１９では、給湯栓２４が閉じられたとみなされ、温水電磁弁２２が閉じられて給湯運転が終了される。
【００５１】
本実施例では、ステップＳ１６におけるバーナ出口サーミスタ３０４の検出温度をα＋５℃としたが、バーナ出口サーミスタ３０４の検出温度はα＋５℃に限定されない。例えば、バーナ出口サーミスタ３０４の検出温度をα＋１℃等の、給湯設定温度により近い温度に設定して燃焼給湯運転を行うことができる。あるいは、バーナ出口サーミスタ３０４の検出温度を、例えば高温サーミスタ２０２へ到達するまでに生じる水の温度低下の度合いを考慮した温度に設定することもできる。このような設定をすることで、燃焼給湯運転時に貯湯タンク８内からの水と給水経路６０からの水とを混合しなくてもすむ。貯湯タンク８からの水を余分に加熱して冷水と混合する場合に比して、熱効率が高い。
【００５２】
（暖房運転）
高温暖房機４４と低温暖房機５４のいずれかのリモコンのスイッチが操作されると、暖房運転を実行する。コントローラ１００はリモコン入力された信号から、高温暖房機の単独運転と、低温暖房機の単独運転と、高温暖房機と低温暖房機の同時運転のうち、いずれの暖房運転を実行するかを判断する。
【００５３】
また、貯湯タンク８に貯えられている水の温度が低いと、補助熱源機３２０で加熱し、暖房用熱交換器３２で冷却された水を貯湯タンク８に戻すよりも、貯湯タンク８をバイパスして直接的に補助熱源機３２０に戻すほうが効率がよい場合がある。給湯暖房システム１は、暖房運転時に補助熱源機３２０で加熱された水を循環させる経路を切換えることができる。
補助熱源機３２０で加熱して暖房用熱交換器３２で冷却された水を、貯湯タンク８の上部に戻すか、あるいは貯湯タンク８の中間高さに戻すかも切換え可能となっている。コントローラ１００が、暖房用一次循環経路３０に介装されている開閉弁３２２と、暖房用一次循環分岐経路３４に介装されている開閉弁３４２と、暖房用一次循環バイパス経路３６に介装されている開閉弁３６２の開閉を制御することによって、暖房用熱交換器３２を通過した水の戻し先が切換え可能となっている。
【００５４】
（暖房用一次循環水の経路選択）
図６に、暖房用一次循環水の経路選択のフローチャートを示す。ステップＳ９０では、暖房運転制御が開始される。高温暖房機４４のオン信号がコントローラ１００に入力されると高温暖房機の単独運転制御が開始される。低温暖房機５４のオン信号がコントローラ１００に入力されると低温暖房機の単独運転制御が開始される。高温暖房機４４と低温暖房機５４の両方のオン信号がコントローラ１００に入力されると高温暖房機と低温暖房機の同時運転制御が開始される。暖房運転制御が開始されると、循環ポンプ３１０が駆動される。
ステップＳ９２では、熱交換出口サーミスタ３０６が暖房用熱交換器３２を通過した水の温度βを検出する。検出された温度βは、コントローラ１００に入力される。
ステップＳ９４では、第２タンクサーミスタ８０４が貯湯タンク８の中間高さにある水の温度Ｘ´を検出する。検出された温度Ｘ´は、コントローラ１００に入力される。
ステップＳ９６では、給湯経路２０への出湯要求があるか否かが判断される。出湯要求がある場合（判断がＹＥＳの場合）は、ステップＳ９８に進む。出湯要求がない場合（判断がＮＯの場合）は、ステップＳ１０４に進む。
ステップＳ９８では、給湯栓２４のリモコンで設定されている給湯設定温度αを検出する。検出された設定温度αは、コントローラ１００に入力される。
ステップＳ９９では、第１タンクサーミスタ８０２が貯湯タンク８の上部にある水の温度Ｘを検出する。検出された温度Ｘは、コントローラ１００に入力される。
ステップＳ１００では、第１タンクサーミスタ８０２の温度Ｘが給湯設定温度α以上であるか否かが判断される。Ｘがα以上である場合（判断がＹＥＳの場合）は、貯湯タンク８の上部に給湯利用できる水が貯えられていて、給湯利用のための燃焼給湯運転を行う必要がないことから、ステップＳ１０４に進む。Ｘがαより低い場合（判断がＮＯの場合）は、燃焼給湯運転を行って貯湯タンク８の上部に給湯利用できる温度にまで加熱した水を貯える必要があることから、ステップＳ１０２に進む。
ステップＳ１０２では、貯湯タンク８の上部に水を戻す経路に設けられている開閉弁３２２が開かれる。開閉弁３２２が開かれると、貯湯タンク８の上部を経由して暖房用一次循環経路３０に水を循環させる経路が形成される。ステップＳ１００で貯湯タンク８の上部にある水が給湯設定温度より低いことが判断されているので、開閉弁３２２が開かれるときは補助熱源機３２０が燃焼給湯運転を行っている。補助熱源機３２０でα℃以上の温度にまで加熱された水は、ステップで開閉弁３２２が開かれることで貯湯タンクの上部へ戻され、給湯に利用される。開閉弁３２２は、図２のフローチャートに示した燃焼給湯運転の開始と共に開かれ、燃焼給湯運転の終了と共に閉じられる。
ステップＳ１０４では、第２タンクサーミスタ８０４の温度Ｘ´が熱交換出口サーミスタ３０６の温度β以上であるか否かが判断される。Ｘ´がβ以上である場合（判断がＹＥＳの場合）は、ステップＳ１０６に進む。Ｘ´がβより低い場合（判断がＮＯの場合）は、ステップＳ１０８に進む。
ステップＳ１０６では、貯湯タンク８の中間高さへ戻す暖房用一次循環分岐経路３４に設けられている開閉弁３４２が開かれる。開閉弁３４２が開かれると、貯湯タンク８の中間部を経由して暖房用一次循環経路３０に水を循環させる経路が形成される。ステップＳ１０４でＸ´がβ以上であると判断されているので、暖房用熱交換器３２を通過した水よりも貯湯タンク８の中間高さに貯えられている水の方が高温である。例えば低温暖房機５４を単独で運転する場合等、貯湯タンク８の中間高さにある水の温度によっては、バーナ３８を燃焼せずに暖房運転を行うことができる。また、バーナ３８を燃焼する場合であっても、貯湯タンク８内の蓄熱を利用することでバーナ３８の燃焼量を減らすことができる。そのような場合に、本ステップのように開閉弁３４２が開かれて形成される循環経路を選択することで、エネルギー効率のよい暖房運転を実現することができる。
ステップＳ１０８では、暖房用一次循環バイパス経路３６に設けられている開閉弁３６２が開かれる。開閉弁３６２が開かれると、貯湯タンク８をバイパスして循環させる経路が形成される。ステップＳ１０４でＸ´がβより低いと判断されているので、暖房用熱交換器３２を通過した水の方が、貯湯タンク８の中間高さに貯えられている水よりも温度が高い。このような場合は、暖房用熱交換器３２を通過した水を貯湯タンク８を経由させずにバーナ３８で再加熱したほうが、貯湯タンク８の中間高さから暖房用一次循環経路３０に送り出された水を加熱するよりも、エネルギー効率のよい暖房運転を実現することができる。
ステップＳ１１０では、暖房運転制御が停止されたか否かが判断される。暖房運転制御が停止された場合（判断がＹＥＳの場合）は、暖房用一次循環水の経路選択を終了する。暖房運転制御が停止されると、コントローラ１００が循環ポンプ３１０を停止し、開閉弁３４２と開閉弁３６２のうちの開弁しているほうの弁を閉じて、暖房運転を終了する。暖房運転制御が停止されていない場合（判断がＮＯの場合）は、ステップＳ９２からステップＳ１０８までの処理を繰返す。
【００５５】
（高温暖房機の単独運転）
図３は高温暖房機４４の単独運転のフローチャートである。ステップＳ２０では、高温暖房機４４のリモコンのスイッチが操作されて、オン信号が出力されたか否かが判断される。オン信号が出力されたと判断された場合（判断がＹＥＳの場合）は、高温暖房機の単独運転が開始されたとみなされてステップＳ２２へ進む。オン信号が出力されたと判断されない場合（判断がＮＯの場合）は、オン信号の出力を検出するまで待機する。
ステップＳ２２では、高温暖房機４４に備えられている熱動弁４６を開いて、循環ポンプ４８を駆動する。暖房用二次循環経路４０では、シスターン４２に貯えられている熱媒体が暖房用熱交換器３２を通過し、さらに高温暖房機４４を経由してシスターン４２に戻される循環経路が形成される。
ステップＳ２４では、貯湯タンク８内の第２タンクサーミスタ８０４の温度Ｘ´を検出する。検出された温度Ｘ´は、コントローラ１００に入力される。
ステップＳ２６では、第２タンクサーミスタ８０４の検出した温度Ｘ´が８５℃より低いか否かが判断される。高温暖房機４４を動作させるためには、高温暖房機４４に８０℃の熱媒体を供給する必要がある。このため、ステップS２６では、貯湯タンク８から暖房用一次循環経路３０へ送り出す水が高温暖房機４４の運転に必要な熱量を有しているかが判断される。検出された温度Ｘ´が８５℃より低い場合（判断がＹＥＳの場合）は、ステップＳ２８へ進み、補助熱源機３２０を燃焼運転させて暖房用一次循環経路３０を循環する水を加熱する。検出された温度Ｘ´が８５℃以上の場合（判断がＮＯの場合）はステップＳ３０へ進み、補助熱源機３２０を非燃焼のまま貯湯タンク８からの水を暖房用一次循環経路３０内に循環させる。
ステップＳ２８では、補助熱源機３２０を稼動して、バーナ出口サーミスタ３０４の検出温度が８５℃になるよう、バーナ３８の燃焼量を調整する。補助熱源機３２０が稼動されると、バーナ３８が点火され、循環ポンプ３１０が駆動され、図６の暖房用一次循環水の経路選択処理により、開閉弁３４２あるいは３６２のいずれかが開かれる。循環ポンプ３１０の駆動により、貯湯タンク８の中間高さにある水が暖房用一次循環経路３０に送り出され、補助熱源機３２０を通過して加熱され、暖房用熱交換器３２に熱を入力する。バーナ出口サーミスタ３０４の検出した温度はコントローラ１００に入力され、この温度に基づいてコントローラ１００がバーナ３８の燃焼量を制御する。
ステップＳ３０では、循環ポンプ３１０を駆動する。この場合は、貯湯タンク８の中間高さに高温暖房機４４を運転するのに十分な蓄熱があるため、補助熱源機３２０を稼動させない。循環ポンプ３１０が駆動されると、図６の暖房用一次循環の経路選択処理により、開閉弁３４２あるいは３６２のいずれかが開かれる。循環ポンプ３１０の駆動により、貯湯タンク８の中間高さにある水が暖房用一次循環経路３０に送り出され、暖房用熱交換器３２に熱を入力する。貯湯タンク８に貯湯されている水の蓄熱を利用した非燃焼暖房運転を行うことができる。
ステップＳ３２では、暖房用二次循環経路４０側の熱交換器出口サーミスタ４０２の検出温度が８０℃となるよう、循環ポンプ４８の駆動量が調整される。暖房用熱交換器３２で暖房用一次循環経路３０内の水と熱交換し、８０℃に加熱された暖房用二次循環往路４０内の水は、高温暖房機４４（エアコン）内部に設けられている熱交換器を通過する。この熱交換器に空気が吹付けられ、吹付けられた空気が加熱されて温風となり、エアコンの吹出し口から吹出される。高温暖房機４４を通過して温度低下した水は、シスターン４２に戻される。
ステップＳ３４では、高温暖房機４４のリモコンのスイッチが操作されて高温暖房機４４のオフ信号が出力されたか否かが判断される。オフ信号が出力された場合（判断がＹＥＳの場合）は、ステップＳ３６に進む。オフ信号が出力されなかった場合（判断がＮＯの場合）は、ステップＳ２４からステップＳ３２までの処理を繰返し、高温暖房機の単独運転制御を実行する。
ステップＳ３６では、暖房用一次循環経路３０の循環ポンプ３１０を停止する。補助熱源機３２０が稼動していた場合は、循環ポンプ３１０の停止に伴い、バーナ３８が消火され、図６の処理により選択されて開いていた開閉弁が閉弁される。
ステップＳ３８では、高温暖房機４４の熱動弁４６を閉弁して、循環ポンプ４８を停止する。暖房用二次循環経路４０内の水の循環が停止し、このステップにおいて、高温暖房機４４の駆動は停止され、高温暖房運転が終了する。
【００５６】
（低温暖房機の単独運転）
図４は低温暖房機５４の単独運転のフローチャートである。ステップＳ４０では、低温暖房機５４のリモコンのスイッチが操作されて、オン信号が出力されたか否かが判断される。オン信号が出力されたと判断された場合（判断がＹＥＳの場合）は、低温暖房機の単独運転が開始されたとみなされてステップＳ４２へ進む。オン信号が出力されたと判断されない場合（判断がＮＯの場合）は、オン信号の出力を検出するまで待機する。
ステップＳ４２では、低温暖房機５４に備えられている熱動弁５６を開いて、循環ポンプ４８を駆動する。暖房用二次循環経路４０では、シスターン４２に貯えられている熱媒体が暖房用熱交換器３２を通過し、低温暖房機５４を経由してシスターン４２に戻される循環経路が形成される。
ステップＳ４４では、貯湯タンク８内の第２タンクサーミスタ８０４の温度Ｘ´を検出する。検出された温度Ｘ´は、コントローラ１００に入力される。
ステップＳ４６では、第２タンクサーミスタ８０４の検出した温度Ｘ´が６５℃より低いか否かが判断される。低温暖房機５４を動作させるためには、低温暖房機５４に６０℃の低温の水を供給する必要がある。このため、このステップにおいて暖房用一次循環経路３０に送り出す水が低温暖房機５４の運転に必要な熱量を有しているかが判断される。
検出された温度Ｘ´が６５℃より低い場合（判断がＹＥＳの場合）はステップＳ４８へ進み、補助熱源機３２０を燃焼運転させて暖房用一次循環経路３０を循環する水を加熱する。検出された温度Ｘ´が６５℃以上の場合（判断がＮＯの場合）はステップＳ５０へ進み、補助熱源機３２０を非燃焼のまま貯湯タンク８からの水を暖房用一次循環経路３０内に循環させる。
ステップＳ４８では、補助熱源機３２０を稼動して、バーナ出口サーミスタ３０４の検出温度が６５℃になるよう、バーナ３８の燃焼量を調整する。補助熱源機３２０が稼動されると、バーナ３８が点火され、循環ポンプ３１０が駆動され、図６の暖房用一次循環の経路選択処理により、開閉弁３４２あるいは３６２のいずれかが開かれる。循環ポンプ３１０の駆動により、貯湯タンク８の中間高さにある水が暖房用一次循環経路に送り出され、補助熱源機３２０で加熱され、暖房用熱交換器３２に熱を入力する。バーナ出口サーミスタ３０４の検出した温度はコントローラ１００に入力され、この温度に基づいてコントローラ１００がバーナ３８の燃焼量を制御する。
ステップＳ５０では、循環ポンプ３１０を駆動する。このとき、本ステップでは貯湯タンク８の中間高さに低温暖房機５４を運転するのに十分な蓄熱があるため、補助熱源機３２０を稼動させない。循環ポンプ３１０が駆動されると、図６の暖房用一次循環の経路選択処理により、開閉弁３２２あるいは３４２のいずれかが開かれる。循環ポンプ３１０の駆動により、貯湯タンク８の中間高さにある水が暖房用一次循環経路３０に送り出され、暖房用熱交換器３２に熱を入力する。貯湯タンク８に貯湯されている水の蓄熱を利用した非燃焼暖房運転を行うことができる。
低温暖房機５４の単独運転時には、流量調整弁５２によって暖房用二次循環バイパス経路５０が閉じられる。暖房用二次循環バイパス経路５０が閉じられるために、暖房用熱交換器３２をバイパスした低温の熱媒体が低温暖房機５４に送り込まれることがない。暖房用熱交換器３２で加熱された熱媒体が、低温暖房機５４が必要とする温度であれば足り、それ以上に加熱する必要はない。貯湯タンク８に、熱媒体を低温暖房機５４が必要とする温度にまで加熱できる温水が貯湯されている限り、非燃焼暖房運転を行うことができる。
ステップＳ５２では、低温暖房入口サーミスタ４０４の検出温度が６０℃となるよう、循環ポンプ４８の駆動量が調整される。暖房用二次循環経路４０内の水は、低温暖房機５４（床暖房）に設けられている温水配管を通過して熱交換する。低温暖房機５４を通過して温度低下した水は、シスターン４２に戻される。
ステップＳ５４では、低温暖房機５４のリモコンのスイッチが操作されて低温暖房機５４のオフ信号が出力されたか否かが判断される。オフ信号が出力された場合（判断がＹＥＳの場合）は、ステップＳ５６に進む。オフ信号が出力されなかった場合（判断がＮＯの場合）は、ステップＳ４４からステップＳ５２までの処理を繰返し、低温暖房機単独運転制御を実行する。
ステップＳ５６では、暖房用一次循環経路３０の循環ポンプ３１０を停止する。補助熱源機３２０が稼動していた場合は、循環ポンプ３１０の停止に伴い、バーナ３８が消火され、図６の処理により選択されて開いていた開閉弁が閉弁される。
ステップＳ５８では、低温暖房機５４の熱動弁５６を閉弁して、循環ポンプ４８を停止する。暖房用二次循環経路４０内の水の循環が停止し、このステップにおいて、低温暖房機５４の駆動は停止され、低温暖房運転が終了する。
【００５７】
（高温暖房機と低温暖房機の同時運転）
図５は高温暖房機４４と低温暖房機５４の同時運転のフローチャートである。ステップＳ６０では、高温暖房機４４と低温暖房機５４のリモコンのスイッチが操作されて、両者のオン信号が出力されたか否かが判断される。両者のオン信号が出力されたと判断された場合（判断がＹＥＳの場合）は、高温暖房機と低温暖房機の同時運転が開始されたとみなされてステップＳ６２へ進む。両者のオン信号が出力されたと判断されない場合（判断がＮＯの場合）は、オン信号の出力を検出するまで待機する。
ステップＳ６２では、高温暖房機４４に備えられている熱動弁４６と低温暖房機５４に備えられている熱動弁５６とを開いて、循環ポンプ４８を駆動する。暖房用二次循環経路４０では、シスターン４２に貯えられている水が暖房用熱交換器３２を通過し、さらに高温暖房機４４と低温暖房機５４の両方を経由してシスターン４２に戻される循環経路が形成される。
ステップＳ６４では、貯湯タンク８内の第２タンクサーミスタ８０４の温度Ｘ´を検出する。検出された温度Ｘ´は、コントローラ１００に入力される。
ステップＳ６６では、第２タンクサーミスタ８０４の検出した温度Ｘ´が８５℃より低いか否かが判断される。前記したように、高温暖房機４４を動作させるためには高温暖房機４４に８０℃の高温の水を供給する必要がある。このため、このステップにおいて貯湯タンク８から暖房用一次循環経路３０へ送り出す水が、高温暖房機４４の運転に必要な熱量を有しているかが判断される。検出された温度Ｘ´が８５℃より低い場合（判断がＹＥＳの場合）はステップＳ６８へ進み、補助熱源機３２０を燃焼運転させて暖房用一次循環経路３０を循環する水を加熱する。検出された温度Ｘ´が８５℃以上の場合（判断がＮＯの場合）はステップＳ７０へ進み、補助熱源機３２０を非燃焼のまま貯湯タンク８内の水を暖房用一次循環経路３０に循環させる。
ステップＳ６８では、補助熱源機３２０を稼動し、バーナ出口サーミスタ３０４の検出温度が８５℃になるよう、バーナ３８の燃焼量を調整する。補助熱源機３２０が稼動されると、バーナ３８が点火され、循環ポンプ３１０が駆動され、図６の暖房用一次循環の経路選択処理により、開閉弁３４２あるいは３６２のいずれかが開かれる。循環ポンプ３１０の駆動により、貯湯タンク８の中間高さにある水が暖房用一次循環経路３０に送り出され、補助熱源機３２０を通過して加熱され、暖房用熱交換器３２に熱を入力する。バーナ出口サーミスタ３０４の検出した温度はコントローラ１００に入力され、この温度に基づいてコントローラ１００がバーナ３８の燃焼量を制御する。
ステップＳ７０では、循環ポンプ３１０を駆動する。この場合は、貯湯タンク８の中間高さに高温暖房４４を運転するのに十分な蓄熱があるため、補助熱源機３２０を稼動させない。循環ポンプ３１０が駆動されると、図６の暖房用一次循環の経路選択処理により、開閉弁３２２あるいは３４２のいずれかが開かれる。循環ポンプ３１０の駆動により、貯湯タンク８の中間高さにある水が暖房用一次循環経路３０に送り出され、暖房用熱交換器３２に熱を入力する。貯湯タンク８に貯湯されている水の蓄熱を利用した非燃焼給湯運転を行うことができる。
ステップＳ７２では、暖房用二次循環経路４０側の熱交換器出口サーミスタ４０２の検出温度が８０℃となるよう、循環ポンプ４８の駆動量が調整される。高温暖房機４４を通過して温度低下した水は、シスターン４２に戻される。
ステップＳ７４では、低温暖房入口サーミスタ４０４の検出温度が６０℃になるよう、流量調整弁５２の開度を調整する。高温暖房機と低温暖房機の同時運転時には、暖房用熱交換器３２で８０℃に加熱された熱媒体に、暖房用熱交換器３２をバイパスしてシスターン４２から直接に送られる温度の低い熱媒体を混合して低温暖房機５４に供給することができる。低温暖房入口サーミスタ４０４の検出した温度は、コントローラ１００に入力され、コントローラ１００はその温度に基づいて流量調整弁５２の開度を制御する。
ステップＳ７６では、高温暖房機４４と低温暖房機５４のいずれかの暖房機のリモコンのスイッチが操作されてオフ信号が出力されたか否かが判断される。オフ信号が出力された場合（判断がＹＥＳの場合）は、ステップＳ７８に進む。オフ信号が出力されなかった場合（判断がＮＯの場合）は、ステップＳ６４からステップＳ７４までの処理を繰返し、高温暖房・低温暖房同時運転制御を実行する。
ステップＳ７８では、ステップＳ７６で出力されたオフ信号が、高温暖房機４４からのオフ信号であるか否かが判断される。オフ信号が出力されたのが高温暖房機４４であった場合(判断がＹＥＳの場合）は、ステップＳ８０に進む。オフ信号が出力されたのが低温暖房機５４であった場合（判断がＮＯの場合）は、ステップＳ８２へ進む。
ステップＳ８０では、オフ信号が出力されたのが高温暖房機４４であることから、高温暖房機４４の熱動弁４６と暖房用二次循環バイパス経路５０の流量調整弁５２を閉じて、低温暖房機の単独運転へ移行する。低温暖房機の単独運転に移行すると、図４のフローチャートに示したステップＳ４０からステップＳ５８までの処理を実行する。熱動弁４６が閉じられると、暖房用二次循環経路４０内の水は高温暖房機４４を通過しなくなる。高温暖房機と低温暖房機の同時運転から低温暖房機の単独運転へ移行すると、稼動している熱負荷が低温暖房機５４だけであることから暖房用二次循環経路４０内で必要となる水の温度が低くなる。貯湯タンク８に低温暖房機５４の運転に必要な熱量が貯えられていなければ補助熱源機３２０を稼動するが、高温暖房機４４が稼動していたときよりも少ない燃焼量でバーナ３８を燃焼することができる。貯湯タンク８に低温暖房機５４の運転に必要な熱量が貯えられていれば、補助熱源機３２０を稼動せずに暖房運転を行うことができる。流量調整弁５２を開いてシスターン４２に貯えられている低温の熱媒体と暖房用熱交換器３２で加熱された高温の熱媒体を混合してから低温暖房機５４へ供給する方式でないために、貯湯タンク８に低温暖房機５４の運転に必要な熱量が貯えられている間、非燃焼暖房運転を持続することができる。
ステップＳ８２では、オフ信号が出力されたのが低温暖房機５４であることから、低温暖房機５４の熱動弁５６と暖房用二次循環バイパス経路５０の流量調整弁５２を閉じて、高温暖房機の単独運転へ移行する。高温暖房機の単独運転に移行すると、図３のフローチャートに示したステップＳ２０からステップＳ３８までの処理を実行する。熱動弁５６が閉じられると、暖房用二次循環経路４０内の水は低温暖房機５４を通過しなくなる。流量調整弁５２を開いてシスターン４２に貯えられている熱媒体と暖房用熱交換器３２で加熱された熱媒体を混合して低温暖房機５４へ供給する必要がなくなる。
【００５８】
（第２実施例）
第２実施例の給湯暖房システム２の概略構成を図７に示す。以下の説明では、第１実施例の給湯暖房システム１と同様の構成要素については、同一の参照符号を付して、詳細な説明を省略する。以下の説明では、第１実施例の給湯暖房システム１と異なる点のみについて説明する。
【００５９】
図７に示す給湯暖房システム２では、暖房用二次循環バイパス経路５０の上流端がシスターン４２の上流側に接続され、暖房用二次循環バイパス経路５０の下流端が低温暖房機５４の上流側に接続されている。暖房用二次循環バイパス経路５０には流量調整弁５２が介装されており、暖房用二次循環バイパス経路５０の合流点より下流側には、低温暖房入口サーミスタ４０４が介装されている。この給湯暖房システム２では、第１実施例の給湯暖房システム１と同様にして、蓄熱運転、給湯運転、高温暖房機と低温暖房機の同時運転、高温暖房機の単独運転および低温暖房機の単独運転を行うことができる。
【００６０】
流量調整弁５２は、第１実施例と同様に、高温暖房機と低温暖房機の同時運転時に開かれ、高温暖房機単独運転時と低温暖房機単独運転時には閉じられる。高温暖房機と低温暖房機の同時運転時に暖房用二次循環バイパス経路５０を流れる熱媒体は、高温暖房機４４で熱交換して温度低下した熱媒体と、低温暖房機５４で熱交換して温度低下した熱媒体である。高温暖房機４４と低温暖房機５４を同時に運転する場合に、流量調整弁５２の開度を調整してこの温度低下した熱媒体と暖房用熱交換器３２を通過して加熱された熱媒体とを混合して低温暖房機５４へ送り込むことができる。
【００６１】
（第３実施例）
第３実施例の給湯暖房システム３の概略構成を図８に示す。以下の説明では、第１実施例の給湯暖房システム１または第２実施例の給湯暖房システム２と同様の構成要素については、同一の参照符号を付して、詳細な説明を省略する。以下の説明では、第１実施例の給湯暖房システム１または第２実施例の給湯暖房システム２と異なる点のみについて説明する。
【００６２】
図８に示す給湯暖房システム３では、暖房用二次循環バイパス経路５０の上流端がシスターン４２の下流側に接続され、暖房用二次循環バイパス経路５０の下流端が低温暖房機５４の上流側に接続されている。暖房用二次循環バイパス経路５０には開閉弁５８が介装されており、暖房用二次循環バイパス経路５０の合流点より下流側には、低温暖房入口サーミスタ４０４が介装されている。
暖房用二次循環経路４０には、シスターン４２と暖房用二次循環バイパス経路５０の上流端との間に、シスターン４２から送り出される熱媒体の温度を検出するバイパス入口サーミスタ４０６が介装されている。暖房用熱交換器３２の下流側には、暖房用熱交換器３２から低温暖房機５４へ供給される熱媒体の量を調整する流量調整弁４１が介装されている。流量調整弁４１の下流側で、暖房用二次循環バイパス経路５０の合流点には、混合サーボ４９が介装されている。給湯暖房システム３は、第１実施例の給湯暖房システム１及び第２実施例の給湯暖房システム２と同様にして、蓄熱運転、給湯運転を行うことができる。低温暖房機の単独運転時に、貯湯タンク８に貯えられている蓄熱を利用した非燃焼暖房運転を行うことができる。
【００６３】
本実施例の給湯暖房システム３は、シスターン４２に溜められている熱媒体と暖房用熱交換器３２を通過した熱媒体を混合サーボ４９で混合して低温暖房機５４に送り込むことができる。低温暖房機５４に供給する熱媒体の温度をさらに安定させることができる。
【００６４】
（暖房運転）
高温暖房機４４と低温暖房機５４のいずれかのリモコンのスイッチが操作されると、暖房運転を実行する。コントローラ１００はリモコン入力された信号から、高温暖房機の単独運転と、低温暖房機の単独運転と、高温暖房機と低温暖房機の同時運転のうち、いずれの暖房運転を実行するかを判断する。
【００６５】
本実施例においても、コントローラ１００が、暖房用一次循環経路３０に介装されている開閉弁３２２と、暖房用一次循環分岐経路３４に介装されている開閉弁３４２と、暖房用一次循環バイパス経路３６に介装されている開閉弁３６２の開閉を制御することによって、暖房用熱交換器３２を通過した水の戻し先が切換え可能となっている。暖房用一次循環水の経路の切換えは、図６のフローチャートと同様の処理を行うことで実行される。また、本実施例の高温暖房機の単独運転は、図３のフローチャートと同様の処理を行うことで実行される。
【００６６】
（低温暖房機単独運転）
給湯暖房システム３は、貯湯タンク８内に蓄熱がフルに貯えられている状態になると、貯湯タンク８内の高温の水をシスターン給水経路８０からシスターン４２へ注水し、給水経路６０から水道水を貯湯タンク８へ注水して貯湯タンク８内の水の温度を下げる動作をする。シスターン給水経路８０から注水された高温の水とシスターン４２に貯えられていた熱媒体とが混合され、シスターン４２に蓄熱される。シスターン４２の蓄熱を低温暖房機５４の運転に利用できれば、暖房用一次循環経路３０に水を循環させ、暖房用熱交換器３２で熱交換する必要がない。貯湯タンク８内の蓄熱を利用した場合と同様に、非燃焼暖房運転を行うことができる。
【００６７】
図９は低温暖房機５４の単独運転のフローチャートである。ステップＳ１１２では、低温暖房機５４のリモコンのスイッチが操作されて、オン信号が出力されたか否かが判断される。オン信号が出力されたと判断された場合（判断がＹＥＳの場合）は、低温暖房機の単独運転が開始されたとみなされてステップＳ１１４へ進む。オン信号が出力されたと判断されない場合（判断がＮＯの場合）は、オン信号の出力を検出するまで待機する。
ステップＳ１１４では、低温暖房機５４に備えられている熱動弁５６を開いて、循環ポンプ４８を駆動する。暖房用二次循環経路４０では、シスターン４２に貯えられている水が暖房用熱交換器３２を通過し、さらに低温暖房機５４を経由してシスターン４２に戻される循環経路が形成される。
ステップＳ１１６では、バイパス入口サーミスタ４０６の温度γを検出する。検出された温度γは、コントローラ１００に入力される。
ステップＳ１１８では、バイパス入口サーミスタ４０６の温度γが６０℃より低いか否かが判断される。γが６０℃より低い場合（判断がＹＥＳの場合）はシスターン４２に低温暖房機５４を運転するのに十分な蓄熱がないとみなされてステップＳ１２０へ進む。γが６０℃以上の場合（判断がＮＯの場合）はシスターン４２に低温暖房機５４を運転するのに十分な蓄熱があるとみなされてステップＳ１２４へ進む。
ステップＳ１２０では、貯湯タンク８内の第２タンクサーミスタ８０４の温度Ｘ´を検出する。検出された温度Ｘ´は、コントローラ１００に入力される。
ステップＳ１２２では、第２タンクサーミスタ８０４の検出した温度Ｘ´が６５℃より低いか否かが判断される。検出された温度Ｘ´が６５℃より低い場合（判断がＹＥＳの場合）はステップＳ１２６へ進み、補助熱源機３２０を燃焼運転させて暖房用一次循環経路３０を循環する水を加熱する。検出された温度Ｘ´が６５℃以上の場合（判断がＮＯの場合）はステップＳ１２８へ進み、補助熱源機３２０を非燃焼のまま貯湯タンク８からの水を暖房用一次循環経路３０内に循環させる。
ステップＳ１２４では、ステップＳ１１８でシスターン４２に低温暖房機５４を運転するのに十分な蓄熱があると判断されているので、暖房用二次循環バイパス経路５０の開閉弁５８を開いてシスターン４２の水を低温暖房機５４へ供給する。シスターン４２に貯湯されている水の蓄熱を利用した非燃焼暖房運転を行うことができる。
ステップＳ１２６では、補助熱源機３２０を稼動して、バーナ出口サーミスタ３０４の検出温度が６５℃になるよう、バーナ３８の燃焼量を調整する。補助熱源機３２０が稼動されると、バーナ３８が点火され、循環ポンプ３１０が駆動され、図６の暖房用一次循環の経路選択処理により、開閉弁３４２あるいは３６２のいずれかが開かれる。循環ポンプ３１０の駆動により、貯湯タンク８の中間高さにある水が暖房用一次循環経路３０に送り出され、補助熱源機３２０を通過して加熱され、暖房用熱交換器３２に熱を入力する。バーナ出口サーミスタ３０４の検出した温度はコントローラ１００に入力され、この温度に基づいてコントローラ１００がバーナ３８の燃焼量を制御する。
ステップＳ１２８では、循環ポンプ３１０を駆動する。このとき、本ステップでは貯湯タンク８の中間高さに低温暖房機５４を運転するのに十分な蓄熱があるため、補助熱源機３２０を稼動させない。循環ポンプ３１０が駆動されると、図６の暖房用一次循環の経路選択処理により、開閉弁３４２あるいは３６２のいずれかが開かれる。循環ポンプ３１０の駆動により、貯湯タンク８の中間高さにある水が暖房用一次循環経路３０に送り出され、暖房用熱交換器３２に熱を入力する。貯湯タンク８に貯湯されている水の蓄熱を利用した非燃焼暖房運転を行うことができる。
ステップＳ１３０では、低温暖房入口サーミスタ４０４の検出温度が６０℃となるよう、循環ポンプ４８の駆動量が調整される。暖房用二次循環経路４０内の水は、低温暖房機５４（床暖房）に設けられている温水配管を通過して熱交換する。低温暖房機５４を通過して温度低下した水は、シスターン４２に戻される。
ステップＳ１３２では、低温暖房機５４のリモコンのスイッチが操作されて低温暖房機５４のオフ信号が出力されたか否かが判断される。オフ信号が出力された場合（判断がＹＥＳの場合）は、ステップＳ１３４に進む。オフ信号が出力されなかった場合（判断がＮＯの場合）は、ステップＳ１１６からステップＳ１３０までの処理を繰返し、低温暖房機の単独運転制御を実行する。
ステップＳ１３４では、低温暖房機５４の熱動弁５６を閉弁して、循環ポンプ４８を停止する。暖房用一次循環経路３０の循環ポンプ３１０が稼動していた場合は、本ステップにおいて循環ポンプ３１０を停止する。補助熱源機３２０が稼動していた場合は、循環ポンプ３１０の停止に伴い、バーナ３８が消火され、図６の処理により選択されて開いていた開閉弁が閉弁される。暖房用二次循環経路４０内の水の循環が停止し、低温暖房機５４の駆動は停止され、低温暖房運転が終了する。
【００６８】
（高温暖房・低温暖房同時運転）
図１０は高温暖房機４４と低温暖房機５４の同時運転のフローチャートである。ステップＳ１４２では、高温暖房機４４と低温暖房機５４のリモコンのスイッチが操作されて、オン信号が出力されたか否かが判断される。オン信号が出力されたと判断された場合（判断がＹＥＳの場合）は、高温暖房・低温暖房同時運転が開始されたとみなされてステップＳ１４４へ進む。オン信号が出力されたと判断されない場合（判断がＮＯの場合）は、オン信号の出力を検出するまで待機する。
ステップＳ１４４では、高温暖房機４４に備えられている熱動弁４６と低温暖房機５４に備えられている熱動弁５６と、暖房用二次循環バイパス経路５０の開閉弁５８を開いて、循環ポンプ４８を駆動する。暖房用二次循環経路４０では、シスターン４２に貯えられている熱媒体が暖房用熱交換器３２を通過し、暖房用熱交換器３２を通過した熱媒体が高温暖房機４４を通過してシスターン４２に戻され、暖房用熱交換器３２を通過した熱媒体と暖房用二次循環バイパス経路５０からの熱媒体とが混合されて低温暖房機５４を通過してシスターン４２に戻される循環経路が形成される。
ステップＳ１４６では、貯湯タンク８内の第２タンクサーミスタ８０４の温度Ｘ´を検出する。検出された温度Ｘ´は、コントローラ１００に入力される。
ステップＳ１４８では、第２タンクサーミスタ８０４の検出した温度Ｘ´が８５℃より低いか否かが判断される。検出された温度Ｘ´が８５℃より低い場合（判断がＹＥＳの場合）はステップＳ１５０へ進み、補助熱源機３２０を燃焼運転させて暖房用一次循環経路３０を循環する水を加熱する。検出された温度Ｘ´が８５℃以上の場合（判断がＮＯの場合）はステップＳ１５２へ進み、補助熱源機３２０を非燃焼のまま貯湯タンク８内の水を暖房用一次循環経路３０に循環させる。
ステップＳ１５０では、補助熱源機３２０を稼動して、バーナ出口サーミスタ３０４の検出温度が８５℃になるよう、バーナ３８の燃焼量を調整する。補助熱源機３２０が稼動されると、バーナ３８が点火され、循環ポンプ３１０が駆動され、図６の暖房用一次循環の経路選択処理により、開閉弁３４２あるいは３６２のいずれかが開かれる。循環ポンプ３１０の駆動により、貯湯タンク８の中間高さにある水が暖房用一次循環経路３０に送り出され、補助熱源機３２０を通過して加熱され、暖房用熱交換器３２に熱を入力する。バーナ出口サーミスタ３０４の検出した温度はコントローラ１００に入力され、この温度に基づいてコントローラ１００がバーナ３８の燃焼量を制御する。
ステップＳ１５２では、循環ポンプ３１０を駆動する。このとき、本ステップでは貯湯タンク８の中間高さに高温暖房４４を運転するのに十分な蓄熱があるため、補助熱源機３２０を稼動させない。循環ポンプ３１０が駆動されると、図６の暖房用一次循環の経路選択処理により、開閉弁３４２あるいは３６２のいずれかが開かれる。循環ポンプ３１０の駆動により、貯湯タンク８の中間高さにある水が暖房用一次循環経路３０に送り出され、暖房用熱交換器３２に熱を入力する。貯湯タンク８に貯湯されている水の蓄熱を利用した非燃焼給湯運転を行うことができる。
ステップＳ１５４では、暖房用二次循環経路４０側の熱交換器出口サーミスタ４０２の検出温度が８０℃となるよう、循環ポンプ４８の駆動量が調整される。高温暖房機４４を通過して温度低下した熱媒体は、シスターン４２に戻される。
ステップＳ１５６では、低温暖房入口サーミスタ４０４の検出温度が６０℃になるよう、流量調整弁４１の開度と混合サーボ４９の混合比を調整する。低温暖房入口サーミスタ４０４の検出した温度はコントローラ１００に入力され、コントローラ１００はその温度に基づいて流量調整弁４１の開度と混合サーボ４９の混合比を制御する。
ステップＳ１５８では、高温暖房機４４と低温暖房機５４のいずれかの暖房機のリモコンのスイッチが操作されてオフ信号が出力されたか否かが判断される。オフ信号が出力された場合（判断がＹＥＳの場合）は、ステップＳ１６０に進む。オフ信号が出力されなかった場合（判断がＮＯの場合）は、ステップＳ１４６からステップＳ１５６までの処理を繰返し、高温暖房機と低温暖房機の同時運転制御を実行する。
ステップＳ１６０では、ステップＳ１５８で出力されたオフ信号が、高温暖房機４４からのオフ信号であるか否かが判断される。オフ信号が出力されたのが高温暖房機４４であった場合(判断がＹＥＳの場合)は、ステップＳ１６２に進む。オフ信号が出力されたのが低温暖房機５４であった場合（判断がＮＯの場合）は、ステップＳ１６４へ進む。
ステップＳ１６２では、オフ信号が出力されたのが高温暖房機４４であることから、高温暖房機４４の熱動弁４６と暖房用二次循環バイパス経路５０の開閉弁５８を閉じて、低温暖房機の単独運転へ移行する。低温暖房機の単独運転に移行すると、図９のフローチャートに示したステップＳ１１２からステップＳ１３４までの処理を実行する。
ステップＳ１６４では、オフ信号が出力されたのが低温暖房機５４であることから、低温暖房機５４の熱動弁５６と暖房用二次循環バイパス経路５０の開閉弁５８を閉じて、高温暖房機の単独運転へ移行する。高温暖房機の単独運転に移行すると、図５のフローチャートに示したステップＳ２０からステップＳ３８までの処理を実行する。
【００６９】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組み合わせによって技術的有用性を発揮するものであり、出願時の請求項に記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００７０】
【図１】第１実施例の給湯暖房システムの概略構成を表わした図である。
【図２】給湯時の動作概要を表わすフローチャートである。
【図３】高温暖房の単独運転時の動作概要を表わすフローチャートである。
【図４】低温暖房の単独運転時の動作概要を表わすフローチャートである。
【図５】高温暖房と低温暖房の同時運転時の動作概要を表わすフローチャートである。
【図６】暖房運転時の暖房用一次循環の経路選択の概略処理を表わすフローチャートである。
【図７】第２実施例の給湯暖房システムの概略構成を表わした図である。
【図８】第３実施例の給湯暖房システムの概略構成を表わした図である。
【図９】低温暖房の単独運転時の動作概要を表わすフローチャートである。
【図１０】高温暖房と低温暖房の同時運転時の動作概要を表わすフローチャートである。
【符号の説明】
【００７１】
１：給湯暖房システム
１０：加熱用循環経路
１２：熱交換器
１４：熱交換器
１５：発電ユニット
１６：改質機
１８：燃料電池
１００：コントローラ
１０２：サーミスタ
１０４：サーミスタ
１１０：循環ポンプ
１６２：排気ガス熱供給経路
１６４：バーナ
１８２：冷却水通路
１８４：水素ガス供給経路
２０：給湯経路
２２：温水電磁弁
２４：給湯栓
２６：給湯量センサ
２８：混合経路
２０２：高温サーミスタ
２０４：給湯サーミスタ
３０：暖房用一次循環経路
３２：暖房用熱交換器
３４：暖房用一次循環分岐経路
３６：暖房用一次循環バイパス経路
３８：バーナ
３０２：バーナ入口サーミスタ
３０４：バーナ出口サーミスタ
３０６：熱交換器出口サーミスタ
３１０：循環ポンプ
３１２：暖房用一次循環流量センサ
３１４：暖房用一次循環流量サーボ
３２０：補助熱源機
３２２：開閉弁
３２４：潜熱熱交換器
３２６：顕熱熱交換器
３６２：開閉弁
３４２：開閉弁
４０：暖房用二次循環経路
４１：流量調整弁
４２：シスターン
４４：高温暖房機
４６：熱動弁
４８：循環ポンプ
４９：混合サーボ
４０２：熱交換器出口サーミスタ
４０４：低温暖房入口サーミスタ
４０６：バイパス入口サーミスタ
５０：暖房用二次循環バイパス経路
５２：流量調整弁
５４：低温暖房機
５６：熱動弁
５８：開閉弁
６０：給水経路
６２：混合サーボ
６４：給水サーボ
６６：給水量センサ
６８：減圧弁
６０２：給水サーミスタ
７０：排水経路
７２：排水弁
８：貯湯タンク
８０：シスターン給水経路
８２：シスターン給水弁
８０２：第１タンクサーミスタ
８０４：第２タンクサーミスタ
８０６：第３タンクサーミスタ
【図１】
2008045843.tif 000003
【図２】
2008045843.tif 000004
【図３】
2008045843.tif 000005
【図４】
2008045843.tif 000006
【図５】
2008045843.tif 000007
【図６】
2008045843.tif 000008
【図７】
2008045843.tif 000009
【図８】
2008045843.tif 000010
【図９】
2008045843.tif 000011
【図１０】
2008045843.tif 000012